(57)【特許請求の範囲】
【請求項１】
一の接続端子を備え機器に設けられた機器側コネクタと、
前記一の接続端子と接続される他の接続端子を備え、前記機器側コネクタと嵌合されることで給電回路を構成するべく電源側の電線の端末に設けられた電源側コネクタと、
前記両コネクタに亘って設けられ当該両コネクタが正規嵌合したときにオンする一方、それ以外にはオフとなることにより前記給電回路を導通状態と遮断状態とに切り替えるインターロック回路と、が備えられ、
前記両コネクタが嵌合されると前記接続端子同士が接続されて給電回路が構成され、正規嵌合に到ったところで前記インターロック回路がオンされる一方、
前記両コネクタが離脱されると初めに前記インターロック回路がオフされ、その後に前記接続端子同士の接続が解除されるコネクタ装置において、
前記両コネクタの間には、前記接続端子同士は接続状態に留められる一方で、前記インターロック回路がオフとなる位置まで前記電源側コネクタが離脱された場合に同電源側コネクタに係止して離脱を停止させ、かつ係止解除操作を伴って前記電源側コネクタの完全離脱を可能とする係止機構が備えられており、
前記係止機構は、前記機器側コネクタに被係止部が設けられる一方、前記電源側コネクタには、前記被係止部に係止する係止部を前端に備えるとともに、後端に操作部を備えた係止アームが設けられることにより構成され、前記操作部を押圧することにより前記係止部の前記被係止部に対する係止が解除されるようになっていることを特徴とするコネクタ装置。
【請求項２】
前記係止アームは、弾性的に揺動変位可能であることを特徴とする請求項１記載のコネクタ装置。
【請求項３】
前記電源側コネクタには前記機器に対してボルト締結される取付部が設けられ、ボルト締結に伴い前記両コネクタの嵌合が助勢されかつ正規嵌合状態に保持されるようになっており、この取付部には、前記係止アームの前記操作部を押圧操作して同係止アームを係止解除方向に変位させる解除治具の挿入口が、前記操作部を臨ませた形態で開口されていることを特徴とする請求項２記載のコネクタ装置。
【請求項４】
前記機器側コネクタが金属製のケース内に設けられる一方、前記電線がシールド電線であってかつ前記電源側コネクタには前記シールド電線のシールド層が接続されたシールドシェルが装着され、前記シールドシェルに設けられた取付板が前記ケースに対してボルト締結されるようになっており、前記取付板に前記解除治具の挿入口が開口されていることを特徴とする請求項３記載のコネクタ装置。
【発明の詳細な説明】
【技術分野】
【０００１】
本発明は、電気的な嵌合検知機能を備えたコネクタ装置に関する。
【背景技術】
【０００２】
例えば電気自動車において、車載機器類に電力を供給するためのコネクタ装置として、以下のようなものが知られている。このものは、互いに嵌合される機器側コネクタと電源側コネクタとを備え、機器側コネクタは、例えばジャンクションボックスの外面に嵌合凹部からなる雄ハウジングが一体的に形成され、この雄ハウジングの奥面からバスバーからなる雄端子が突設された構造であり、一方、電源側コネクタは、電源側から引き出された電線の端末に接続された雌端子を雌ハウジング内に収容した構造であって、両コネクタが例えばボルト締めによって嵌合されると、両コネクタに設けられた対応する雌雄の端子金具同士が接続されることで、給電回路が構成されるようになっている。
【０００３】
一方、この種のコネクタ装置では、電源側から電力が供給された状態で電源側コネクタが外されると、両コネクタの対応する雌雄の端子金具の間でアーク放電が生じるおそれがある。そのため両コネクタの間には、両コネクタの嵌合・離脱状態を電気的に検知するインターロック回路が設けられ、両コネクタが正規嵌合されたところでインターロック回路がオンして給電回路が導通状態となり、一方電源側コネクタを外す場合には、先にインターロック回路がオフとなって給電回路が遮断状態となったのちに、両コネクタが離脱されるようになっている。インターロック回路は具体的には、給電回路のうちの負荷側回路に介設され、そのオンオフによって、負荷側回路の導通と遮断とを切り替えるようになっている。なお、この種のインターロック回路が具備されたコネクタ装置は、例えば特許文献１に記載されている。
【先行技術文献】
【特許文献】
【０００４】
【特許文献１】特開２００５−１４２１０７号公報
【発明の概要】
【発明が解決しようとする課題】
【０００５】
ところで、上記のようなコネクタ装置においてコネクタの離脱操作を一気に行った場合には、以下のような不具合が懸念される。すなわち、電源側コネクタを引き外すことに伴いインターロック回路がオフとなって給電回路が遮断状態にされたとしても、その直後は未だ負荷側回路ひいては雄端子に電荷が残っている場合があり、この状態で両コネクタが完全に離脱されて機器側コネクタの嵌合面が開口されると、作業者が不用意に雄端子に触れて電撃を受ける等の事態を招き兼ねないため、さらなる改良が切望されていた。  
本発明は上記のような事情に基づいて完成されたものであって、その目的は、給電回路の遮断後に遅延時間を経て初めて両コネクタが離脱できるようにするところにある。
【課題を解決するための手段】
【０００６】
本発明は、一の接続端子を備え機器に設けられた機器側コネクタと、前記一の接続端子と接続される他の接続端子を備え、前記機器側コネクタと嵌合されることで給電回路を構成するべく電源側の電線の端末に設けられた電源側コネクタと、前記両コネクタに亘って設けられ当該両コネクタが正規嵌合したときにオンする一方、それ以外にはオフとなることにより前記給電回路を導通状態と遮断状態とに切り替えるインターロック回路と、が備えられ、前記両コネクタが嵌合されると前記接続端子同士が接続されて給電回路が構成され、正規嵌合に到ったところで前記インターロック回路がオンされる一方、前記両コネクタが離脱されると初めに前記インターロック回路がオフされ、その後に前記接続端子同士の接続が解除されるコネクタ装置において、前記両コネクタの間には、前記接続端子同士は接続状態に留められる一方で、前記インターロック回路がオフとなる位置まで前記電源側コネクタが離脱された場合に同電源側コネクタに係止して離脱を停止させ、かつ係止解除操作を伴って前記電源側コネクタの完全離脱を可能とする係止機構が備えられており、前記係止機構は、前記機器側コネクタに被係止部が設けられる一方、前記電源側コネクタには、前記被係止部に係止する係止部を前端に備えるとともに、後端に操作部を備えた係止アームが設けられることにより構成され、前記操作部を押圧することにより前記係止部の前記被係止部に対する係止が解除されるようになっているところに特徴を有する。
【０００７】
両コネクタが正規嵌合状態にあるときから電源側コネクタを引いて離脱させると、接続端子同士は接続状態に留められたままでインターロック回路がオフとなる位置まで離脱されたところで係止機構により離脱が停止される。次に係止機構の係止を解除する操作を行ったのち、改めて電源側コネクタを引っ張ると、電源側コネクタが引き抜かれる。  
すなわち、給電回路が遮断状態とされたのち、ある程度の時間遅れてから電源側コネクタが完全に外されることとなり、仮に機器側コネクタの接続端子に電荷が残っていたとしても、遅れの時間の間に同電荷が消失または減少し、その結果作業者が不用意に接続端子に触れることに起因して電撃を受けること等が防止される。
【０００８】
また、以下のような構成としてもよい。
（１）前記係止アームは、弾性的に揺動変位可能である。
電源側コネクタは、係止アームの係止部が機器側コネクタに設けられた被係止部に係止することで離脱が停止され、そののち操作部を押圧して係止アームを揺動変位させることで係止が解除され、電源側コネクタのさらなる離脱が許容される。
【０００９】
（２）前記電源側コネクタには前記機器に対してボルト締結される取付部が設けられ、ボルト締結に伴い前記両コネクタの嵌合が助勢されかつ正規嵌合状態に保持されるようになっており、この取付部には、前記係止アームの前記操作部を押圧操作して同係止アームを係止解除方向に変位させる解除治具の挿入口が、前記操作部を臨ませた形態で開口されている。  
係止を解除するのに、解除治具をわざわざ挿入口に入れてそこに臨んでいる操作部を押圧操作する必要があるから、それだけ給電回路が遮断されたのちに電源側コネクタが完全に外れるまでの遅れ時間を大きく採ることができる。また、係止アームの操作部が治具挿入口に臨んで配されていることにより、操作部が不用意に押圧されて係止が解除されることが防止される。
【００１０】
（３）前記機器側コネクタが金属製のケース内に設けられる一方、前記電線がシールド電線であってかつ前記電源側コネクタには前記シールド電線のシールド層が接続されたシールドシェルが装着され、前記シールドシェルに設けられた取付板が前記ケースに対してボルト締結されるようになっており、前記取付板に前記解除治具の挿入口が開口されている。  
ボルト締結することで両コネクタが正規嵌合状態に保持され、かつケースとシールドシェルの取付板とが接触状態とされる。両コネクタを離脱する場合には、ボルト締結を解除したのち電源側コネクタを引っ張り、係止アームと被係止部との係止により一旦離脱が停止されたのち、取付板に設けられた挿入口に解除治具を入れて係止解除操作を行うと、電源側コネクタのさらなる離脱が許容される。シールドタイプのコネクタ装置に有効に適用できる。
【発明の効果】
【００１１】
本発明によれば、給電回路の遮断後に遅延時間を経て初めて両コネクタを離脱することができる。
【図面の簡単な説明】
【００１２】
【図１】電源側コネクタの分解斜視図
【図２】同正面側からの斜視図
【図３】同背面側からの斜視図
【図４】同平面図
【図５】機器側コネクタの概略正面図
【図６】機器側コネクタと電源側コネクタの嵌合前の状態における接続端子の接続部分で切断した縦断面図
【図７】同インターロック回路のスイッチ部で切断した縦断面図
【図８】両コネクタが正規嵌合された状態における接続端子の接続部分で切断した縦断面図
【図９】同インターロック回路のスイッチ部で切断した縦断面図
【図１０】電源側コネクタが離脱停止位置まで戻された状態における接続端子の接続部分で切断した縦断面図
【図１１】同インターロック回路のスイッチ部で切断した縦断面図
【図１２】係止機構の係止解除動作を示す縦断面図
【発明を実施するための形態】
【００１３】
＜実施形態＞
本発明の一実施形態を図１ないし図１２に基づいて説明する。  
本実施形態は、電源と車載機器とを結ぶ電気系統に介設されるコネクタ装置を例示しており、図６及び図７に示すように、ケース１０内に装備される機器側コネクタ２０と、電源から引き出されたシールド電線３０の端末に接続されて上記機器側コネクタ２０と嵌合される電源側コネクタ４０とから構成されている。
【００１４】
機器側コネクタ２０は、ジャンクションボックス（以下、Ｊ／Ｂ）の外面に、嵌合凹部２２を有する雄ハウジング２１が一体的に形成されている。この嵌合凹部２２は、図５に示すように、正面視で左右方向に長い長方形断面をなし、同嵌合凹部２２内は、左右方向に３つの領域に分けられ、正面視で中央部と右端の領域では、それぞれ奥面からバスバーからなる雄端子２３（本発明の一の接続端子に相当）が突設されている。両雄端子２３は板面を揃えて左右に並んだ姿勢で配設され、嵌合凹部２２の奥行の３／４程度の長さ寸法突出している。  
【００１５】
嵌合凹部２２内の正面視で左端の領域には、後記するインターロック回路におけるスイッチ部２５（図１１参照）の固定接点２６Ａ側を構成する一対の雄タブ２４が、左右に所定間隔を開けて並んで突設されている。両雄タブ２４は、嵌合凹部２２の奥行の１／３程度の長さ寸法突出している。  
機器側コネクタ２０には、図示はしないが負荷側回路が構成されており、上記した一対の雄タブ２４同士が電気的に接続された状態にあると、インターロック回路がオン状態となって、負荷側回路が導通状態とされる一方、雄タブ２４同士が非接続状態である場合には、インターロック回路がオフとなって負荷側回路が遮断状態とされるようになっている。
【００１６】
上記のように機器側コネクタ２０が設けられたＪ／Ｂが、シールド機能を備えたアルミニウム等の金属製のケース１０内に収容され、所定位置に固定されている。  
より詳細には、図６に示すように、ケース１０の側面の所定位置には、機器側コネクタ２０の嵌合凹部２２の開口よりも一回り大きい略長方形の嵌合用開口１１が形成されている。Ｊ／Ｂの収容に伴い、機器側コネクタ２０の嵌合凹部２２が嵌合用開口１１と同心に整合し、かつ、嵌合凹部２２の開口面が嵌合用開口１１の内側（裏側）に所定寸法控えた位置に配される。
【００１７】
次に、電源側コネクタ４０について説明する。電源側コネクタ４０は大まかには、図１ないし図４にも示すように、シールド電線３０の端末に固着された雌端子３５（本発明の他の接続端子に相当）が収容される雌ハウジング４１と、この雌ハウジング４１の後端部に外嵌されるシールドシェル６０とから構成されている。  
シールド電線３０は、２本の被覆電線３１の回りに編組線３３が嵌装された形態でシース（図示せず）内に挿通された構造であり、各被覆電線３１の端末にそれぞれ雌端子３５が固着されている。
【００１８】
雌端子３５は、導電性に優れた金属板をプレス加工して形成され、上記した機器側コネクタ２０に設けられた雄端子２３が嵌合接続される扁平な角筒形の接続部３６を有しており、同接続部３６の後方に設けられたバレル３７がかしめられて、被覆電線３１の芯線３２の端末に固着されている。
【００１９】
雌ハウジング４１は合成樹脂製であって、雄ハウジング２１の嵌合凹部２２内に緊密に嵌合可能な扁平なブロック状に形成されている。雌ハウジング４１は正面視で左右方向に３つの領域に分けられ、中央部と左端の領域では、それぞれ上記した雌端子３５を後方から挿入可能なキャビティ４２が形成されている。各キャビティ４２の前壁には、雄端子２３が挿入可能な端子挿入口４３が開口されているとともに、キャビティ４２の天井面には、雌端子３５の接続部３６に弾性的に係止して抜け止めするランス４４が形成されている。  
各雌端子３５は、対応するキャビティ４２内にランス４４を撓み変位させつつ後方から挿入され、前壁に達する正規位置まで挿入されると、ランス４４が復元変位して接続部３６に係止することによって、雌端子３５はキャビティ４２内に抜け止めされて収容されるようになっている。
【００２０】
雌ハウジング４１における右端の領域には装着孔４５が形成され、同装着孔４５内に、インターロック回路におけるスイッチ部２５の可動接点２６Ｂが装着されている。可動接点２６Ｂは、合成樹脂製の段付きの筒体４６内に一対の収容室４７が左右に並んで形成され、各収容室４７にそれぞれ中継端子４８が収容され、両中継端子４８の後端同士がショートピン４９により接続された構造である。各収容室４７の前面壁には、雄ハウジング２１側の固定接点２６Ａとなる雄タブ２４が挿入されるタブ挿入口４７Ａが開口されている。この可動接点２６Ｂが装着孔４５内に挿入され、筒体４６の前面が装着孔４５の前面開口とほぼ面一となる位置で、ロック機構により固定されている。
【００２１】
雌ハウジング４１の後端部には、シールドシェル６０が装着されるようになっている。シールドシェル６０は、アルミニウム等の金属板を深絞り等のプレス加工をすることによって形成され、雌ハウジング４１の後端部に嵌装可能な長円形の筒形となっている。シールドシェル６０の前縁には、取付板となるフランジ６１が張り出し形成され、同フランジ６１の上縁が山形をなすように延ばされて、被締結部６２が形成されている。
【００２２】
シールドシェル６０は、雌ハウジング４１の後端部に対して後方から嵌装され、雌ハウジング４１の外面に突設された複数のストッパ５１に前縁が当たったところで押し込みが停止され、雌ハウジング４１の上下の面に設けられたロック片５２の係止突起５２Ａがシールドシェル６０の後縁に係止することにより、図２ないし図４に示すように、シールドシェル６０が雌ハウジング４１の後端部の外周に装着される。  
シールドシェル６０の外周には、図５に示すように、シールド電線３０における編組線３３の端末が外嵌され、その外周に嵌めたかしめリング６３をかしめることで固定されている。
【００２３】
次に、電源側コネクタ４０と機器側コネクタ２０との嵌合・離脱構造について説明する。  
上記した機器のケース１０における嵌合用開口１１の上縁部には、幅方向の中央部においてスタッドボルト１５が水平姿勢で立てられている。スタッドボルト１５には、フランジ７１付きのナット７０が螺合可能となっている。
【００２４】
図１及び図６に示すように、電源側コネクタ４０に装着されたシールドシェル６０には、そのフランジ６１の被締結部６２に、スタッドボルト１５が挿通される取付孔６４が開口されている。この取付孔６４は、スタッドボルト１５の外径よりも大きい内径を有する円形孔として形成されているとともに、図１０等に示すように、雌ハウジング４１が雄ハウジング２１に対して嵌合された場合に、同取付孔６４の中心がスタッドボルト１５の軸線上に位置する設定となっている。
【００２５】
電源側コネクタ４０は、ケース１０の嵌合用開口１１を通って機器側コネクタ２０の嵌合凹部２２内に嵌合され、雄雌の端子金具２３，３５同士が次第に接続されるとともに、スタッドボルト１５の先端が、電源側コネクタ４０に装着されたシールドシェル６０におけるフランジ６１の被締結部６２の取付孔６４を通って手前側に突出する。適当量押し込んだところで、スタッドボルト１５にナット７０を螺合して同ナット７０をパワーレンチ等の工具により締め込むと、被締結部６２がナット７０で前方に押されつつ電源側コネクタ４０の嵌合が進み、シールドシェル６０のフランジ６１がケース１０に当たったところで締め込みが停止し、かつ嵌合が完了する（正規嵌合位置）。この間に、図８及び図９に示すように、雄雌の端子金具２３，３５同士が深く正規に嵌合接続される一方で、雄タブ２４と中継端子４８とが接続されてインターロック回路がオンされるようになっている。
【００２６】
正規嵌合状態から両コネクタ２０，４０を離脱する場合は、ナット７０を緩めて外したのち電源側コネクタ４０を持って引っ張ると、初めに雄タブ２４と中継端子４８の接続が解除されてインターロック回路がオフとされ、引き続いて雄雌の端子金具２３，３５同士の接続が次第に解除されるようになっている。
【００２７】
さてこの実施形態では、上記のように電源側コネクタ４０が機器側コネクタ２０から離脱される途中において、詳細にはインターロック回路がオフとなった直後のタイミングにおいて、同電源側コネクタ４０の離脱方向の移動を停止する係止機構８０（図８参照）が設けられている。以下、係止機構８０の構造について説明する。  
図５に示すように、機器側コネクタ２０の雄ハウジング２１において、嵌合凹部２２の上側領域にける幅方向の右端部の位置には、前後方向を向いた凹溝２１Ａが凹み形成され、これにより嵌合凹部２２の上面における幅方向の右端寄りの位置に、上面壁２２Ａが形成されている。上面壁２２Ａの上面の先端寄りの位置には、被係止部２７が突出形成されている。被係止部２７は、後面側が切り立った係止面２７Ａで、前面側がテーパ状のガイド面２７Ｂとなっている。
【００２８】
一方、電源側コネクタ４０では、図１及び図５に示すように、雌ハウジング４１の上面における正面視で左側縁に寄った位置に、上記した雄ハウジング２１の被係止部２７に弾性的に係止する係止アーム５５が設けられている。  
この係止アーム５５は前後方向に延びた形状であって、長さ方向の途中位置に設けられた支点部５５Ａを中心として、シーソー状に揺動変位可能となっている。係止アーム５５の前端側には、被係止部２７が嵌合可能な係止溝５６が、前縁から少し入った位置から後方に延びるようにして形成されており、同係止溝５６よりも先の部分が係止部５７とされ、係止溝５６の前面すなわち係止部５７の後面が係止面５７Ａとされている。
【００２９】
電源側コネクタ４０が機器側コネクタ２０から離脱され、図１１に示すように、雄タブ２４と中継端子４８の接続が解除されてインターロック回路がオフとされた直後の位置まで後退すると、図１０に示すように、係止アーム５５の係止部５７の係止面５７Ａに、被係止部２７の係止面２７Ａが係止されることで、電源側コネクタ４０の後退が停止されるようになっている（離脱停止位置）。このとき、同図に示すように、両コネクタ２０，４０の端子金具２３，３５同士は、なお接続状態にある設定である。  
係止アーム５５の後端には、操作部５８が一段高くなった形態で形成されており、同操作部５８を押圧することにより、図１２に示すように、係止アーム５５は前端側が上昇するように揺動変位し、係止部５７の被係止部２７に対する係止が解除されるようになっている。
【００３０】
上記した電源側コネクタ４０に装着されたシールドシェル６０のフランジ６１の被締結部６２には、スタッドボルト１５の取付孔６４の正面視で左下の位置に、係止アーム５５の操作部５８を押圧操作する解除治具Ｊ（図１１参照）を挿入可能な治具挿入口６６が開口されている。  
この治具挿入口６６内には、係止アーム５５の操作部５８が背面に突出しない程度に臨んでいる。また、治具挿入口６６は、解除治具Ｊが操作部５８の上面を押圧可能に挿入され、かつ同操作部５８が係止解除位置まで下降することを可能とした高さ寸法を有している。
【００３１】
続いて、本実施形態の作用を説明する。  
電源側コネクタ４０では、雌ハウジング４１の装置孔４５に対して可動接点２６Ｂが装着される。また、シールド電線３０の端末に電源側コネクタ４０が接続され、すなわち２本の被覆電線３１の端末に接続された各雌端子３５が雌ハウジング４１のキャビティ４２に収容される一方、編組線３３の端末がシールドシェル６０に外嵌されてかしめリング６３により固着される。
【００３２】
このように組み付けられた電源側コネクタ４０の雌ハウジング４１が、図６及び図７に示すように、ケース１０の嵌合用開口１１を通して、機器側コネクタ２０を構成する雄ハウジング２１の嵌合凹部２２内に嵌合される。  
雌ハウジング４１は、係止アーム５５が被係止部２７に乗り上げて揺動変位しつつ嵌合され、雄雌の端子金具２３，３５同士が次第に嵌合接続され、すなわち負荷側回路と電源側回路とが接続されることで給電回路が構成される。嵌合が進んで、係止アーム５５の係止部５７が被係止部２７を超えると、係止アーム５５が復元変位しつつ被係止部２７が係止溝５６の前端部に嵌り、係止部５７と被係止部２７の係止面５７Ａ，２７Ａ同士が対向して、電源側コネクタ４０が抜け止めされた形態で初期嵌合される（図１０参照）。この状態では、図１１に参照して示すように、インターロック回路のスイッチ部２５を構成する雄タブ２４と中継端子４８とは接続前の状態にある。
【００３３】
電源側コネクタ４０が上記のように初期嵌合されると、機器のケース１０に突設されたスタッドボルト１５の先端が、電源側コネクタ４０のシールドシェル６０の被締結部６２に開口された取付孔６４を通って手前側に突出する。  
この状態から、スタッドボルト１５の先端にナット７０を螺合して同ナット７０をパワーレンチ等の工具により締め込むと、被締結部６２がナット７０で前方に押されつつ電源側コネクタ４０の嵌合が助勢されて進み、図８に示すように、シールドシェル６０のフランジ６１がケース１０に当たったところで締め込みが停止し、両コネクタ２０，４０が正規嵌合しかつ同正規嵌合状態に保持される。
【００３４】
この間に、雄雌の端子金具２３，３５同士が深く正規嵌合接続される一方、最後に図９に示すように、雄タブ２４と中継端子４８とが接続されることでインターロック回路がオン状態となって負荷側回路が導通状態となり、ひいては給電回路が導通状態となって、電源から負荷に向けて電力が供給されるところとなる。  
また、シールドシェル６０のフランジ６１がケース１０に当たって固定されることで、被覆電線３１から発生した電磁波ノイズが編組線３３を介してシールドシェル６０に吸収され、さらにケース１０に落とされる現象を呈して、シールド機能が発揮される。
【００３５】
メンテナンス等において、電源側コネクタ４０を機器側コネクタ２０から外す場合は、図８及び図９に示す正規嵌合状態から、ナット７０を工具で緩めて外し、続いて電源側コネクタ４０を持って引っ張る。離脱が進んで、図１０に示すように、雄タブ２４と中継端子４８の接続が解除されてインターロック回路がオフとなる位置まで電源側コネクタ４０が離脱されると、図１０に示すように、係止アーム５５の係止部５７の係止面５７Ａに、被係止部２７の係止面２７Ａが係止されることで、電源側コネクタ４０の離脱が停止される。このとき同図に示すように、両コネクタ２０，４０の雄雌の端子金具２３，３５同士は、なお接続状態にある。
【００３６】
電源側コネクタ４０が離脱停止位置で停止されたら、図１２に示すように、治具挿入口６６に解除治具Ｊを挿入して係止アーム５５の操作部５８を下方に押圧すると、係止アーム５５が係止解除方向に揺動変位して係止が解除されるから、改めて電源側コネクタ４０を引っ張ることによって、電源側コネクタ４０が機器側コネクタ２０から引き離される。
【００３７】
以上のように本実施形態によれば、両コネクタ２０，４０が正規嵌合状態にあるときからナット７０を緩めて外し、電源側コネクタ４０を引いて離脱させると、雄雌の端子金具２３，３５同士は接続状態に留められたままでインターロック回路がオフとなる位置まで離脱されたところで、係止アーム５５と被係止部２７とからなる係止機構８０により離脱が停止される。次に解除治具Ｊにより係止アーム５５を強制的に揺動変位させて係止を解除し、再び電源側コネクタ４０を引っ張ると、電源側コネクタ４０が引き抜かれる。  
すなわち、給電回路が遮断状態とされたのち、ある程度の時間遅れてから電源側コネクタ４０が完全に外されることとなり、仮に機器側コネクタ２０の雄端子２３に電荷が残っていたとしても、遅れの時間の間に同電荷が消失または減少し、その結果作業者が不用意に雄端子２３に触れることに起因して電撃を受けること等が防止される。
【００３８】
特に本実施形態では、係止アーム５５の操作部５８を、電源側コネクタ４０のシールドシェル６０に設けた治具挿入口６６に臨ませた構造としたので、係止を解除するためには、解除治具Ｊをわざわざ治具挿入口６６に入れてそこに臨んでいる操作部５８を押圧操作する必要があるから、それだけ給電回路が遮断されたのちに電源側コネクタ４０が完全に外れるまでの遅れ時間を大きく採ることができる。また、係止アーム５５の操作部５８が治具挿入口６６に臨んで配されていることにより、操作部５８が不用意に押圧されて係止が解除されることが防止される。
【００３９】
＜他の実施形態＞
本発明は上記記述及び図面によって説明した実施形態に限定されるものではなく、例えば次のような実施形態も本発明の技術的範囲に含まれる。  
（１）係止アームの操作部は、単にシールドシェルのフランジの背面側に突出して配され、解除治具または手動で押圧操作されるようになっていもよい。  
（２）係止機構は、電源側コネクタが、接続端子同士が接続状態に留められる一方でインターロック回路がオフとなる位置まで離脱された場合に同電源側コネクタに係止して離脱を停止させ、かつ係止解除操作を伴って電源側コネクタの完全離脱を可能とする機能を果たす限り、上記実施形態に例示した構造に限らず、他の構造を採用してもよい。
【００４０】
（３）両コネクタの嵌合操作時にナットを締結するタイミングは、上記実施形態に例示した係止アームが被係止部に係止したときに限らず、係止アームが被係止部に乗り上げている途中、あるいはその手前等、要は、手動による初期嵌合時の抵抗力が大きくなり、その際スタッドボルトの先端がナットを螺合可能に取付孔の背面側に突出した状態にある限り、適宜のタイミングであってよい。  
（４）機器側コネクタの被締結部を機器のケースに締結する部分の構造において、上記実施形態とは逆に、ケース側にナットを備えて被締結部を貫通したボルトを同ナットに螺合して締め付ける構造としてもよい。
【００４１】
（５）両コネクタの嵌合を助勢する倍力機構は、レバー等の他の機構を採用してもよい。  
（６）本発明は、倍力機構を備えないコネクタ装置にも適用可能である。  
（７）さらに本発明は、非シールドタイプのコネクタ装置にも同様に適用することが可能である。
【符号の説明】
【００４２】
１０…ケース
１５…スタッドボルト
２０…機器側コネクタ
２１…雄ハウジング
２２…嵌合凹部
２３…雄端子（一の接続端子）
２４…雄タブ
２５…（インターロック回路の）スイッチ部
２６Ａ…固定接点
２６Ｂ…可動接点
２７…被係止部
２７Ａ…係止面
３０…シールド電線
３１…被覆電線
３３…編組線（シールド層）
３５…雌端子（他の接続端子）
４０…電源側コネクタ
４１…雌ハウジング
４８…（可動接点２６Ｂを構成する）中継端子
５５…係止アーム
５５Ａ…支点部
５７…係止部
５７Ａ…係止面
５８…操作部
６０…シールドシェル
６１…フランジ
６２…被締結部（取付板：取付部）
６４…取付孔
６６…治具挿入口
７０…ナット
８０…係止機構
Ｊ…解除治具
【図１】
0005825523.tif 000002
【図２】
0005825523.tif 000003
【図３】
0005825523.tif 000004
【図４】
0005825523.tif 000005
【図５】
0005825523.tif 000006
【図６】
0005825523.tif 000007
【図７】
0005825523.tif 000008
【図８】
0005825523.tif 000009
【図９】
0005825523.tif 000010
【図１０】
0005825523.tif 000011
【図１１】
0005825523.tif 000012
【図１２】
0005825523.tif 000013